(57)【要約】【課題】浴槽の水が空の状態から、勘違いや誤って、高温差し湯スイッチを押してしまうと、浴槽に高温水供給が行われ、高温水遮断機能付き浴槽アダプタの場合、浴槽アダプタが遮断して高温差し湯が停止されるものの、浴槽アダプタが遮断された情報をユーザーが確認できないため、使い勝手が悪かった。【解決手段】リモコン２２のふろ湯張りスイッチ２３ａの操作により浴槽８への湯張りと該リモコン２２の高温差し湯スイッチ２４ａの操作により浴槽８への高温水の供給が高温水遮断機能付き浴槽アダプタ９を通して行われるふろ給湯器において、浴槽８への高温水の供給中に、ふろ給湯配管１２に設けた流量センサ１０により浴槽への毎秒当たりの供給流量が一定値以下を検出したときに、前記リモコン２２に前記高温水遮断機能付き浴槽アダプタ９の遮断動作を示すユーザーメッセージ「Ｕ１」を表示するようにした。【選択図】        図２
2004347295.tif 000002
【特許請求の範囲】
【請求項１】
リモコンのふろ湯張りスイッチの操作により浴槽への湯張りと該リモコンの高温差し湯スイッチの操作により浴槽への高温水の供給が高温水遮断機能付き浴槽アダプタを通して行われるふろ給湯器において、
ふろ給湯配管に流量検出手段を設け、浴槽への高温水の供給中に、前記流量検出手段により浴槽への毎秒当たりの供給流量が一定値以下を検出したときに、前記リモコンに前記高温水遮断機能付き浴槽アダプタの遮断動作を示すユーザーメッセージを表示するようにしたことを特徴とするふろ給湯器。
【請求項２】
前記高温水遮断機能付き浴槽アダプタの遮断動作を示すユーザーメッセージの表示中に、リモコンのふろ湯張りスイッチを操作して浴槽への湯張りを行った場合、前記ユーザーメッセージ表示を消灯して浴槽への湯張りを開始するとともに、この浴槽への湯張り中に、前記流量検出手段により浴槽への毎秒当たりの供給流量が一定値以下を検出したときは、再び、前記リモコンに前記高温水遮断機能付き浴槽アダプタの遮断動作を示すユーザーメッセージを表示するようにしたことを特徴とする請求項１記載のふろ給湯器。
【請求項３】
リモコンのふろ湯張りスイッチを操作して浴槽への湯張り中に、前記流量検出手段により浴槽への毎秒当たりの供給流量が一定値以下を検出して、前記リモコンに前記高温水遮断機能付き浴槽アダプタの遮断動作を示すユーザーメッセージを表示してから一定時間以上経過後も、前記流量検出手段により浴槽への毎秒当たりの供給流量が一定値以下を検出するときは、前記リモコンにユーザーメッセージの表示からエラーメッセージに表示を変更するようにしたことを特徴とする請求項２記載のふろ給湯器。
【発明の詳細な説明】
【０００１】
【発明の属する技術分野】
本発明は、浴槽への高温水供給を有したふろ給湯器に関するものである。
【０００２】
【従来の技術】
従来の風呂給湯器は、リモコンの高温差し湯スイッチの操作により浴槽への高温水供給が行われるように構成されている。また、子供などの誤操作による火傷を防止するため、高温差し湯スイッチは数秒間連続で押された場合に、高温水の供給を可能とするように構成されている（例えば、特許文献１参照。）。
また、従来の浴槽用出湯器具（浴槽アダプタ）には、火傷に関する安全性を高めるために、吐出口に対向させて形状記憶合金バネを配置し、このバネにより開閉弁を開閉駆動するように構成して、湯張り時には開き、高温差し湯時には浴槽の水が空の状態だと前記形状記憶合金バネに高温水が触れて閉じ、浴槽への高温水供給を遮断する機能を持たせたものがある（例えば、特許文献２参照。）。
【０００３】
【特許文献１】
特開平１１−２１１２１９号公報（第３−６頁、図１−２）
【特許文献２】
特開平８−９４１８４号公報（第３−４頁、図１−６）
【０００４】
【発明が解決しようとする課題】
特許文献１に示された従来の風呂給湯器で、特許文献２に示された高温水遮断機能付きの浴槽アダプタを使用したとき、浴槽の水が空の状態では、本来、リモコンの湯張りスイッチを押して、湯張りを行うべきところ、浴槽内に水があるものと勘違いして、誤って、高温差し湯スイッチを押してしまうと、浴槽が空の状態から高温水供給が行われ、浴槽アダプタが遮断して高温差し湯は停止される。しかし、特許文献２に示すような高温水遮断機能付き浴槽アダプタがスイッチの誤操作や勘違い操作によって遮断されたという情報をユーザーはまったく知ることができなかったため、入浴しようとしたときにはじめて、浴槽にお湯が入っていないことに気付くことになり、使い勝手が悪いという課題があった。
【０００５】
本発明は、上記のような課題を解消するためになされたもので、高温水遮断機能付き浴槽アダプタを通して高温差し湯を行うふろ給湯器において、使い勝手を向上することを目的とする。
【０００６】
【課題を解決するための手段】
本発明に係るふろ給湯器は、リモコンのふろ湯張りスイッチの操作により浴槽への湯張りと該リモコンの高温差し湯スイッチの操作により浴槽への高温水の供給が高温水遮断機能付き浴槽アダプタを通して行われるふろ給湯器において、
ふろ給湯配管に流量検出手段を設け、浴槽への高温水の供給中に、前記流量検出手段により浴槽への毎秒当たりの供給流量が一定値以下を検出したときに、前記リモコンに前記高温水遮断機能付き浴槽アダプタの遮断動作を示すユーザーメッセージを表示するようにしたものである。
【０００７】
【発明の実施の形態】
実施の形態１．
図１は本発明の実施の形態１を示すふろ給湯器の構成図、図２及び図３は本発明の実施の形態１における沸き上げ制御動作を示すフローチャート、図４は本発明の実施の形態１を示すリモコンの構成図である。
【０００８】
図１において、１は給水配管、２は水またはお湯を貯める貯湯槽、３は貯湯槽２内の水を沸き上げる発熱体、４は貯湯槽２内の水の沸き上げの制御を行う時の温度入力となる沸き上げ用湯温センサ、５は給湯配管、６はお湯と水を混合し浴槽に供給するお湯を適温にする為の電動湯水混合弁、７は電動湯水混合弁６に補正をかける為の浴槽湯温センサ、８は浴槽、９は浴槽８に取りつけられた高温水遮断機能付き浴槽アダプタ、１０は浴槽６への給湯量を測定する流量センサ、１１は浴槽８への浴槽への給湯回路１２を開閉する電磁弁、１２は電動湯水混合弁６から浴槽アダプタ９までを接続するふろ給湯配管、２１は全体の制御を司る制御部、２２は浴室リモコン、２２ａは浴室リモコン２１内に設けられた高温差し湯スイッチである。
【０００９】
図４において、２２は浴室リモコン、２３ａはふろ湯張りスイッチ、２３ｂはふろ湯張り中に点灯するふろ湯張りＬＥＤ、２４ａは高温差し湯スイッチ、２４ｂは高温差し湯中に点灯する高温差し湯ＬＥＤ、２５ａ・２５ｂは湯張りの湯温設定スイッチ、２６ａ・２６ｂは湯張り湯量設定スイッチ、２７ａはユーザーメッセージやエラーコードなどを表示するメッセージ表示部、２７ｂは湯張りの設定湯温や高温差し湯の設定湯温を表示する設定湯温表示部、２７ｃは湯張りの設定湯量や高温差し湯の設定湯量を表示する設定湯量表示部である。
【００１０】
高温差し湯設定湯温が８０℃、高温差し湯設定湯量が２０Ｌのときの高温差し湯動作、及び湯張り設定湯温が４２℃、湯張り設定湯量が２００Ｌのときの湯張り動作について、図２及び図３のフローチャートを用いて説明する。
【００１１】
図２において、高温差し湯スイッチ２２ａが３秒連続で押されたかを判定し（Ｓ１）、押されたときは、リモコン２２の高温水遮断機能付き浴槽アダプタ９が遮断したことを表すメッセージ表示部２７ａのユーザーメッセージ「Ｕ１」を消灯する（Ｓ２）。
次に、電動湯水混合弁６を高温差し湯設定温度の８０℃になるように制御し（Ｓ３）、電磁弁１１を開き（Ｓ４）、浴槽８への給湯を開始する。
ここで、浴槽８への給湯は、通常の状態では毎分１０Ｌ以上がふろ給湯配管１２内を流れている。
浴槽８に正常に給湯されている場合は、毎分２Ｌ（＝３３ｍＬ／秒）以上は余裕で流れているため、流量センサ１０により瞬間流量３３ｍＬ／秒以下を１０秒連続で検出するかどうか監視し（Ｓ５）、流量センサ１０が瞬間流量３３ｍＬ／秒以上を検出しているときは、高温差し湯湯量が設定湯量の２０Ｌになるまで高温差し湯を継続し（Ｓ６）、２０Ｌになった時点で、電磁弁１１を閉じて（Ｓ７）、高温差し湯は完了してＳ１に戻る。
【００１２】
万一、誤って、浴槽８が空の状態から高温差し湯が行われたときは、高温水遮断機能付き浴槽アダプタ９が遮断され、瞬間流量が３３ｍＬ／秒以下となる。このときは、流量センサ１０が瞬間流量３３ｍＬ／秒以下を１０秒連続で検出して（Ｓ５）、制御部２１は電磁弁１１を閉じ（Ｓ８）、リモコン２２のメッセージ表示部２７ａに高温水遮断機能付き浴槽アダプタ９が遮断動作したことを表すユーザーメッセージ「Ｕ１」を点滅表示させて（Ｓ９）、Ｓ２に戻る。
【００１３】
一方、Ｓ１で、高温差し湯スイッチ２４ａが連続３秒以上押されていないときは、湯張りスイッチ２３ａが押されたかを判定し（Ｓ１０）、湯張りスイッチ２３ａが押されたときは、リモコン２２の高温水遮断機能付き浴槽アダプタ９が遮断動作したことを表すメッセージ表示部２７ａのユーザーメッセージ「Ｕ１」を消灯する（Ｓ１１）。
次に、電動湯水混合弁６をふろ湯張り設定湯温の４２℃になるように制御し（Ｓ１２）、電磁弁１１を開き（Ｓ１３）、浴槽８への給湯を開始する。
ここで、浴槽８への給湯は、高温差し湯の場合と同様に通常の状態では毎分１０Ｌ以上がふろ給湯配管１２内を流れている。
従って、浴槽８に正常に給湯されている場合は、毎分２Ｌ（＝３３ｍＬ／秒）以上は余裕で流れているため、流量センサ１０により瞬間流量３３ｍＬ／秒以下を１０秒連続で検出するかどうか監視し（Ｓ１４）、流量センサ１０が瞬間流量３３ｍＬ／秒以上を検出しているときは、湯張り湯量が設定湯量の２００Ｌになるまで、ふろ湯張りを継続し（Ｓ１５）、２００Ｌになった時点で、電磁弁１１を閉じて（Ｓ１６）、ふろ湯張りは完了し、図２のＳ１に戻る。
【００１４】
Ｓ１４で、流量センサ１０が瞬間流量３３ｍＬ／秒以下を１０秒連続で検出したときは、電磁弁１１を閉じる（Ｓ１７）。
次に、Ｓ１８で、リモコン２２のメッセージ表示部２７ａにユーザーメッセージ「Ｕ１」表示をしてから３０分以上かどうかを判断し、ユーザーメッセージ「Ｕ１」表示をしてから３０分未満であれば、再び、リモコン２２のメーッセージ表示部２７ａに高温水遮断機能付き浴槽アダプタ９が遮断動作したことを表すユーザーメッセージ「Ｕ１」を点滅表示させて（Ｓ１９）、Ｓ１に戻る。
これは、浴槽８が空の状態から、高温差し湯を行われ、高温水遮断機能付き浴槽アダプタ９が遮断動作し、リモコン２２のメッセージ表示部２７ａに「Ｕ１」表示されている状態では、ふろ給湯配管１２内に高温のお湯が満たされており、２０分〜３０分経過しないと、ふろ給湯配管１２内のお湯の温度が冷めないため、ふろ湯張りをしたときでも、ふろ給湯配管１２内の高温のお湯が高温水遮断機能付き浴槽アダプタ９に導かれるため、再び、遮断動作するためである。この状態で、高温水遮断機能付き浴槽アダプタ９が遮断したことを表すユーザーメッセージ「Ｕ１」をリモコン２２のメッセージ表示部２７ａに表示させるようにしている。
【００１５】
リモコン２２のメッセージ表示部２７ａにユーザーメッセージ「Ｕ１」表示をしてから３０分以上が経過しても、流量センサ１０が瞬間流量３３ｍＬ／秒以下を検出しているときは、電磁弁１１が固着して開かない、または、ふろ給湯配管１２内に異物がつまって給湯ができないなどの別の理由で毎秒当たりの瞬間流量が３３ｍＬ以下となっているので、ユーザーメッセージ「Ｕ１」表示から異常を表すエラーメッセージ「Ｅ１」の点滅表示に変更して（Ｓ２０）、Ｓ１に戻る。
【００１６】
このように、実施の形態１に示す構成によれば、リモコン２２の高温差し湯スイッチ２７ａの操作により浴槽８への高温水の供給が高温水遮断機能付き浴槽アダプタ９を通して行われるとき、浴槽８への高温水の供給中に、流量センサ１０により浴槽８への毎秒当たりの供給流量が３３ｍＬ以下を検出したときに、前記リモコン２２に前記高温水遮断機能付き浴槽アダプタ９の遮断動作を示すメッセージ「Ｕ１」表示を行うようにしたので、ユーザーに高温水遮断機能付き浴槽アダプタ９が遮断動作したことを知らせることができ、使い勝手が向上する。
【００１７】
また、一旦、誤って、高温差し湯で浴槽アダプタ９が遮断動作したあとに、ふろ湯張り等、高温差し湯以外のふろ給湯で再び遮断動作したときも、知らせることができ、使い勝手が向上する。
【００１８】
さらに、電磁弁１１の故障やふろ給湯配管１２内に異物がつまって給湯ができないことを表すエラーメッセージ表示と、誤操作や勘違いによる高温水遮断機能付き浴槽アダプタ９が遮断動作したことを表すユーザーメッセージ表示を分けて表示するようにしているため、使い勝手がさらに向上する。
なお、実施の形態１では、ヒーター式の電気温水器の例を示したが、ヒートポンプ式給湯器やガス給湯器などでも同様である。
【００１９】
【発明の効果】
以上のように、本発明に係るふろ給湯器は、リモコンのふろ湯張りスイッチの操作により浴槽への湯張りと該リモコンの高温差し湯スイッチの操作により浴槽への高温水の供給が高温水遮断機能付き浴槽アダプタを通して行われるふろ給湯器において、ふろ給湯配管に流量検出手段を設け、浴槽への高温水の供給中に、前記流量検出手段により浴槽への毎秒当たりの供給流量が一定値以下を検出したときに、前記リモコンに前記高温水遮断機能付き浴槽アダプタの遮断動作を示すユーザーメッセージを表示するようにしたので、ユーザーに高温水遮断機能付き浴槽アダプタが遮断動作したことを知らせることができ、使い勝手が向上する。
【００２０】
また、一旦、高温差し湯で浴槽アダプタが遮断動作したあとに、ふろ湯張り等、高温差し湯以外のふろ給湯で再び遮断動作したときも、ユーザーにメッセージで知らせることができ、使い勝手が向上する。
【００２１】
さらに、電磁弁の故障やふろ給湯配管内に異物がつまって給湯ができないことを表すエラーメッセージと、誤操作や勘違いによる高温水遮断機能付き浴槽アダプタが遮断動作したことを表すユーザーメッセージを区別してリモコンに表示するため、使い勝手がさらに向上する。
【図面の簡単な説明】
【図１】本発明の実施の形態１を示すふろ給湯器の構成図である。
【図２】本発明の実施の形態１を示す沸き上げ制御動作のフローチャートである。
【図３】本発明の実施の形態１を示す沸き上げ制御動作のフローチャートである。
【図４】本発明の実施の形態１を示す浴室リモコンの構成図である。
【符号の説明】
１  給水配管、２  貯湯槽、３  発熱体、４  沸き上げ用湯温センサ、５  給湯配管、６  電動湯水混合弁、７  浴槽湯温センサ、８  浴槽、９  高温水遮断機能付き浴槽アダプタ、１０  流量センサ、１１  電磁弁、１２  ふろ給湯配管、２１  制御部、２２  リモコン、２３ａ  ふろ湯張りスイッチ、２３ｂ  ふろ湯張りＬＥＤ、２４ａ  高温差し湯スイッチ、２４ｂ  高温差し湯ＬＥＤ、２７ａ  メッセージ表示部。
【図１】
2004347295.tif 000003
【図２】
2004347295.tif 000004
【図３】
2004347295.tif 000005
【図４】
2004347295.tif 000006